(57)【要約】【課題】  音叉型圧電振動片が超小型になっても不要振動モードの影響を抑制し、良好な特性を有する音叉型圧電振動片および当該音叉型圧電振動片を用いた音叉型圧電振動子を提供することを目的とする。【解決手段】  音叉型水晶振動片２は、基部２０と、基部２０の一端側から同一方向に伸長する一対の振動腕２１，２２を備えている。基部２０の裏面２ｂの素地上には絶縁膜２９が形成されており、この絶縁膜２９上に、一対の振動腕の励振電極２５，２６から引き出されるとともに外部と導電接合される接合電極２７１，２８１が形成されている。【選択図】  図４
2018037896.tif 000002
【特許請求の範囲】
【請求項１】
基部と、当該基部の一端側から同一方向に伸長する一対の振動腕を備えた音叉型圧電振動片であって、
前記基部の少なくとも一主面の素地上に絶縁膜が形成され、
前記絶縁膜上に、前記一対の振動腕の励振電極から引き出されるとともに外部と導電接合される接合電極が形成されていることを特徴とする音叉型圧電振動片。
【請求項２】
前記絶縁膜が、前記基部における前記一対の振動腕の振動の節点となる領域を避けた領域に形成されていることを特徴とする請求項１に記載の音叉型圧電振動片。
【請求項３】
前記絶縁膜が二酸化珪素から成ることを特徴とする請求項１または請求項２に記載の音叉型圧電振動片。
【請求項４】
請求項１乃至３のいずれか１項に記載の音叉型圧電振動片の接合電極が、開口部を有する容器の内部に設けられた電極パッドと接合材を介して導電接合され、前記開口部に蓋が接合されることによって前記音叉型圧電振動片が気密に封止された音叉型圧電振動子。
【発明の詳細な説明】
【技術分野】
【０００１】
本発明は音叉形状からなる圧電振動片と、当該圧電振動片を用いた音叉型圧電振動子に関する。
【背景技術】
【０００２】
音叉型水晶振動子等の圧電振動子は基準クロック源として様々な電子機器に用いられている。例えば表面実装型の音叉型水晶振動子（以下、水晶振動子と略）は、基部と当該基部の一端側から同一方向に伸長する一対の振動腕を備えた音叉型水晶振動片が、絶縁性容器の凹部に収容され、当該凹部の開口端に平板状の蓋が接合された構成となっている（特許文献１乃至２参照）。前記一対の振動腕には振動腕を駆動させるための励振電極等が形成されている。
【０００３】
前記水晶振動子では、音叉型水晶振動片の基部の他端側が、前記容器の凹部の内底面に形成された電極パッド上に、導電性の接合材を介して導電接合される。ここで振動腕における振動と基部における振動とは、その振動モードが異なっている。具体的には基部において縦振動モードといった不要な振動モード（不要振動モード）が存在することによって、水晶振動子の発振周波数が不安定になったり、等価直列抵抗値の低下を招くことがある。
【先行技術文献】
【特許文献】
【０００４】
【特許文献１】特開２００２−２６１５７５号
【特許文献２】特許第３８９６５８５号
【発明の概要】
【発明が解決しようとする課題】
【０００５】
近年の前記水晶振動子が超小型化（例えば平面視矩形の水晶振動子の外形寸法が１．６ｍｍ×１．０ｍｍ以下）により、これに使用される音叉型水晶振動片もより小型になってきている。そのため、音叉型水晶振動片の超小型化に伴って前述した不要振動モードの影響が相対的に大きくなってくる。これにより、水晶振動子の特性が劣化するという問題が生じてくる。
【０００６】
本発明はかかる点に鑑みてなされたものであり、音叉型圧電振動片が超小型になっても不要振動モードの影響を抑制し、良好な特性を有する音叉型圧電振動片および当該音叉型圧電振動片を用いた音叉型圧電振動子を提供することを目的とするものである。
【課題を解決するための手段】
【０００７】
上記目的を達成するために請求項１に係る発明は、基部と、当該基部の一端側から同一方向に伸長する一対の振動腕を備えた音叉型圧電振動片であって、前記基部の少なくとも一主面の素地上に絶縁膜が形成され、前記絶縁膜上に、前記一対の振動腕の励振電極から引き出されるとともに外部と導電接合される接合電極が形成されていることを特徴とする。
【０００８】
上記発明によれば、前記基部の少なくとも一主面の基材の素地上に絶縁膜が形成されているので、一対の振動腕の屈曲振動が接合電極へ伝搬するのを抑制することができる。これは絶縁膜（圧電効果を有しない絶縁材料から成る膜）が基部の素地上に形成され、当該絶縁膜上に接合電極が形成されていることによって、絶縁膜の部分には圧電振動が生じないため、基部における不要振動モードの影響を抑制することができる。これにより、良好な特性を有する音叉型圧電振動子を得ることができる。また、基部の少なくとも一主面の基材の素地上に絶縁膜が形成されていることにより、一対の振動腕から接合電極までの経路長をより長く確保することができるので、振動漏れの影響を抑制することができる。なお、前記接合電極が形成されない領域である基部の素地上にも絶縁膜が形成されていてもよい。
【０００９】
また、上記目的を達成するために請求項２に係る発明は、前記絶縁膜が、前記基部における前記一対の振動腕の振動の節点となる領域を避けた領域に形成されていることを特徴とする。
【００１０】
上記発明によれば、絶縁膜が前記基部における前記一対の振動腕の振動の節点となる領域を避けた領域に形成されているため、基部における不要振動モードの影響を抑制しつつ、屈曲振動を妨げることなく一対の振動腕の振動が接合電極へ伝搬するのを抑制することができる。
【００１１】
また、上記目的を達成するために請求項３に係る発明は、前記絶縁膜が二酸化珪素から成ることを特徴とする。
【００１２】
上記発明によれば、圧電効果を有さず、かつ圧電振動片の基材との密着性が良好な絶縁膜を容易に形成することができる。これは、例えば圧電振動片の基材として人工水晶を用いた場合に、前記絶縁膜として圧電効果を有さない二酸化珪素（シリカ：ＳｉＯ２）を用いることによって、水晶基材との密着性が良好で、かつ音叉型水晶振動片に形成される金（Ａｕ）等から成る各種電極（励振電極や引出電極等）とも密着性が良好となる。また二酸化珪素から成る絶縁膜は、ＥＢ蒸着法（電子ビーム蒸着法）によって容易に水晶振動片の基材上に形成することができる。
【００１３】
また、上記目的を達成するために請求項４に係る発明は、請求項１乃至３のいずれか１項に記載の音叉型圧電振動片の接合電極が、開口部を有する容器の内部に設けられた電極パッドと接合材を介して導電接合され、前記開口部に蓋が接合されることによって前記音叉型圧電振動片が気密に封止された音叉型圧電振動子となっている。
【００１４】
上記発明によれば、前記作用効果を奏する音叉型圧電振動片を用いることにより、基部における不要振動モードの影響を抑制しつつ、接合電極への振動漏れの影響を低減した良好な特性を有する音叉型圧電振動子を得ることができる。
【発明の効果】
【００１５】
以上のように本発明によれば、音叉型圧電振動片が超小型になっても不要振動モードの影響を抑制し、良好な特性を有する音叉型圧電振動片および当該音叉型圧電振動片を用いた音叉型圧電振動子を提供することができる。
【図面の簡単な説明】
【００１６】
【図１】本発明の実施形態に係る音叉型水晶振動子の封止前の上面模式図
【図２】図１のＡ−Ａ線における断面模式図
【図３】本発明の実施形態に係る音叉型水晶振動片の一主面側の平面模式図
【図４】本発明の実施形態に係る音叉型水晶振動片の他主面側の平面模式図
【図５】図３のＢ−Ｂ線における断面模式図
【図６】本発明の実施形態の変形例に係る音叉型水晶振動片の短手方向における基部の断面模式図
【発明を実施するための最良の形態】
【００１７】
以下、本発明の実施形態を音叉型水晶振動子を例に挙げ、図面を参照しながら説明する。本実施形態における音叉型水晶振動子（以下、水晶振動子と略）は略直方体状のパッケージ構造からなる表面実装型の水晶振動子である。本実施形態ではその平面視の外形寸法は縦１．６ｍｍ、横１．０ｍｍとなっている。なお、水晶振動子の平面視の外形寸法は当該寸法に限定されるものではない。本発明は、基部の長さ方向における寸法を充分に長く確保することが困難となる超小型の外形寸法（１．６ｍｍ×１．０ｍｍ以下）の水晶振動子に対して好適である。
【００１８】
本実施形態に係る水晶振動子１は、図１乃至２に示すように凹部５を有する絶縁材料からなる容器３と、音叉型水晶振動片２（以下、水晶振動片２と略）と、凹部５を封止する平板状の蓋４が主な構成部材となっている。なお図１では説明の便宜上、前記蓋を取り除いた状態で表している。また図１では水晶振動片に形成される各種電極の記載は省略している。水晶振動片２は、容器３の凹部５の内部に収容された後、蓋４が凹部５を覆うように容器３の開口端に接合されることによって気密に封止される。ここで容器３と蓋４とは図示しない封止材を介して接合される。
【００１９】
容器３はアルミナ等のセラミックを主体とした絶縁材料から成る箱状体であり、２枚のセラミックグリーンシートを積層して一体焼成することによって成形されている（図２参照）。容器３は枠状の堤部３０の内側に平面視矩形状の凹部５を有している。堤部３０の上面３００には図示しない封止材が平面視で枠状に形成されており、前記接合材は蓋４の外周部分と対応している。
【００２０】
平面視矩形状の凹部５の内底面３０１の一短辺側には、水晶振動片２と導電接合される２つの電極パッド６，７が、互いに隙間を空けた状態で並列して形成されている。２つの電極パッド６，７は、図示しない内部配線およびビアを介して容器３の外底面３０２の４隅に設けられた４つの外部接続端子８（図２では２つのみ図示）のうちの２つの端子と電気的に接続されている。これら２つの電極パッド６，７は互いに異極となっている。
【００２１】
本実施形態では２つの電極パッド６，７は、タングステンメタライズ層の上面に金をメッキ等の手法を用いて積層することによって形成されている。なお前記メタライズ層として、タングステンの代わりにモリブデンを用いてもよい。
【００２２】
電極パッド６，７のタングステン部分はメタライズの最小単位厚みの点から２段に重ね塗りされている。これは、本実施形態では水晶振動子の薄型化を図るために容器３を２層構成としたことによって凹部５の内底面３０１に段部を形成することができないため、水晶振動片２の搭載後の状態で、水晶振動片の下面（内底面３０１に対向する面）と前記内底面３０１との間に或る程度の隙間を確保するためである。
【００２３】
本実施形態において電極パッド６，７は平面視で矩形状となっており、電極パッド７は電極パッド６よりも、その平面視の面積が相対的に大きくなっている。これは水晶振動片２の形状と対応させるための構成となっている。なお、本発明の適用は、平面視における面積が異なった電極パッドに限定されるものではなく、２つの電極パッドの平面視における面積が同一であってもよい。
【００２４】
蓋４はコバールを基体とする平面視矩形状の金属性の蓋体であり、当該蓋の表裏面にはニッケルメッキ層が形成されている。また蓋４の容器との接合面側には、前記ニッケルメッキ層の上に金属からなるロウ材が、前記接合面の外周に沿って周状に形成されている。本実施形態では前記ロウ材として銀ロウが使用されている。
【００２５】
次に本実施形態における水晶振動片について図３乃至４を参照しながら説明する。なお説明の便宜上、水晶振動片２の対向する２つの主面（２ａ，２ｂ）のうち、容器に搭載される際に電極パッド６，７に対向する側の主面を裏面２ｂとし、当該裏面に対向する反対側の主面を表面２ａとして説明する。図３は水晶振動片の表面側（２ａ）から見た平面模式図を、図４は水晶振動片の裏面側（２ｂ）から見た平面模式図をそれぞれ表している。
【００２６】
図３乃至４に示すように、水晶振動片２は音叉形状であり、基部２０と、基部２０の一端側２０１から同一方向に伸長する一対の振動腕２１，２２と、基部の他端側２０２の一側面から基部２０の幅方向（図３乃至４で符号Ｘで示す軸方向における基部の寸法）の一方に向かって突出した突出部２４とから成っている。一対の振動腕２１，２２は基部２０の幅方向の略中央を通る仮想直線ＣＬを基準として線対称に形成されている。
【００２７】
前記一対の振動腕２１，２２の各々の先端側には、振動腕２１，２２の腕幅（振動腕の伸長方向に対して直交する方向における腕の寸法）よりも幅広となる幅広部２３，２３が形成されている。幅広部２３，２３は、振動腕の伸長方向に向かって漸次拡幅する拡幅部（符号省略）を介して、振動腕２１，２２の先端部分と一体で成形されている。振動腕２１，２２と拡幅部と幅広部２３，２３は、対向する一対の主面２ａ，２ｂと対向する一対の側面（符号省略）を有している。
【００２８】
一対の振動腕２１，２２の各々の表裏主面には、等価直列抵抗値（Ｃｒｙｓｔａｌ  Ｉｍｐｅｄａｎｃｅ。以下、ＣＩ値と略）をより低下させる目的で、長溝Ｇが互いに対向するように形成されている。長溝Ｇは一対の振動腕２１，２２の各々の表裏主面に所定の深さで形成されており、その一端側は基部２０の一端側２０１まで延長されている。一方、長溝Ｇの他端側は、振動腕と拡幅部との境界に対して振動腕の付け根側に位置している。
【００２９】
本実施形態では基部２０の幅方向における寸法が、一対の振動腕２１，２２の両外縁間の距離（一対の振動腕が占めるＸ軸方向における寸法）よりも大きくなっている。すなわち、基部２０の左側端部と右側端部が、振動腕２１，２２の外側面に対して外側にはみ出した構成となっている。このような，はみ出し領域を設けることによって、振動腕から伝搬した振動を基部の幅方向の外側により伝搬させることができる。これにより、基部と接合材との接合部への振動漏れの影響をより低減させることができる。
【００３０】
基部２０には、他端側２０２が一端側２０１よりも基部の幅が狭くなる縮幅部２０３が形成されている。このような縮幅部が形成されていることによって、基部と接合材との接合部への振動漏れの影響を低減させることができる。
【００３１】
縮幅部２０３の一側面には突出部２４が形成されている。この突出部２４と基部２０とによって、平面視では直角に折れ曲がったアルファベットの「Ｌ」字状の部位が形成されている。なお、音叉型水晶振動片は本実施形態における形状に限定されるものではない。例えば前記突出部が、基部の一側面だけでなく基部の他側面（前記一側面と対向する側面）から突出した形状，つまり突出部が基部の両外側に各々突出した形状であってもよい。あるいは前記突出部が、基部から両外側に突出した後、振動腕の伸長方向に向きを変えて、互いに平行に伸長する左右対称の形状であってもよい。また、基部に突出部が形成されていない形状であってもよい。
【００３２】
図４乃至５に示すように基部２０の裏面側（２ｂ）の水晶素地の上には、絶縁膜２９が形成されている。この絶縁膜２９は本実施形態では二酸化珪素（ＳｉＯ２）で構成されている。本実施形態で絶縁膜２９の厚みｔは０．０５μｍとなっている。本実施形態では絶縁膜の厚みは、各種電極（励振電極、引出電極、引回し電極、接合電極）の厚み（０．０７μｍ）よりも薄く形成されている。このように絶縁膜２９の厚みが基部における引出電極２７，２８の厚みよりも薄肉に形成されていることによって、基部の素地上への絶縁膜の形成によって生じた段差を引出電極が乗り越えるように形成されていても、段差のエッジ部分で引出電極が断線するのを防止することができる。
【００３３】
本実施形態では前記絶縁膜として二酸化珪素（ＳｉＯ２）を用いている。二酸化珪素は圧電効果を有さず、かつ水晶振動片の基材との密着性が良好となっている。また、水晶振動片に形成される各種電極（後述）とも密着性が良好となっている。この二酸化珪素から成る絶縁膜は、ＥＢ蒸着法によって容易に水晶振動片の基材上に形成することができる。なお、本発明に係る絶縁膜は、圧電効果を有さず、圧電振動片の基材および各種電極との密着性が良好で、熱に起因するガスの発生量が少ない材料が好ましい。
【００３４】
絶縁膜２９は基部の裏面側の主面のうち、一対の振動腕２１，２２の振動の節点となる領域を避けた領域に形成されている（図４参照）。ここで一対の振動腕２１，２２の振動の節点とは、水晶振動片の結晶軸のＹ軸方向においては一対の振動腕の基部との付け根部分から、基部の他端側２０２に離間した位置と考えられる。そして、絶縁膜を前記振動の節点となる領域を避けて形成した結果、絶縁膜の水晶振動片２の長手方向（結晶軸のＹ軸方向）における形成長は、図４において符号Ｌで示す長さとなっている。この絶縁膜２９の上には、後述する引出電極（２７，２８）が積層されることになる。
【００３５】
上記構成によれば、絶縁膜２９が基部２０における一対の振動腕２１，２２の振動の節点となる領域を避けた領域に形成されているため、基部における不要振動モードの影響を抑制しつつ、屈曲振動を妨げることなく一対の振動腕２１，２２の振動が接合電極２７１，２８１へ伝搬するのを抑制することができる。
【００３６】
前述した水晶振動片２は、１枚の水晶ウエハ（Ｚ板）からフォトリソグラフィ技術とウェットエッチング（エッチング液を用いた湿式エッチング）を用いて一括同時に多数個が成形される。そして前述した絶縁膜２９は、水晶振動片２の製造過程において、音叉形状に個々の水晶振動片の外形を成形する前の段階で、水晶ウエハの基部に対応する領域に予め形成しておくことが可能である。あるいは、個々の水晶振動片の外形の成形後に行われる，各種電極形成のための蒸着工程の前に、水晶素地が露出した個々の音叉形状の水晶振動片の基部の所定領域に絶縁膜を形成するようにしてもよい。なお本実施形態では絶縁膜２９はＥＢ蒸着法によって形成されている。
【００３７】
図３乃至４に示すように水晶振動片２には、異電位で構成された第１の励振電極２５および第２の励振電極２６と、第１の励振電極２５と第２の励振電極２６の各々から引回し電極（符号省略）を経由して引き出された引出電極２７，２８とが形成されている。
【００３８】
第１の励振電極２５および第２の励振電極２６は、一対の振動腕２１，２２の長溝Ｇ，Ｇの内部の全体に及んで形成されている。前記長溝を形成することにより、水晶振動片を小型化しても一対の振動腕２１，２２の振動漏れが抑制され、良好なＣＩ値を得ることができる。なお、一対の振動腕の長溝Ｇ，Ｇの内部の一部の領域だけに、第１および第２の励振電極だけが形成されていてもよい。
【００３９】
第１の励振電極２５は、一方の振動腕２１の表裏主面と、引回し電極を介して他方の振動腕２２の外側面と内側面とに形成されている。同様に第２の励振電極２６は、他方の振動腕２２の表裏主面と、引回し電極を介して一方の振動腕２１の外側面と内側面とに形成されている。
【００４０】
幅広部２３，２３を構成する一対の主面と一対の側面の全ての面には、前述した引回し電極が各々形成されている。本実施形態において引回し電極は、幅広部２３の全周と、振動腕２１，２２の拡幅部寄りの部位の全周（一対の主面と一対の側面）とに形成されている。
【００４１】
幅広部の全周に設けられた前記引回し電極のうち、幅広部２３の一主面（表面２ａ）に形成された引回し電極のさらに上には、周波数調整用金属膜Ｗ（周波数調整用錘）が形成されている。この周波数調整用金属膜Ｗの質量をレーザービームやイオンビーム等のビーム照射によって削減することによって水晶振動片２の周波数が微調整される。
【００４２】
引出電極２７，２８は、基部２０および突出部２４（裏面２ｂのみ）に形成されている。ここで、引出電極２７，２８の一部は、図５に示すように基部２０の一主面（２ｂ）に形成された絶縁膜２９を覆うように形成されている。
【００４３】
上記構成によれば、基部２０の一主面の基材の素地上に絶縁膜２９が形成されているので、一対の振動腕２１，２２の屈曲振動が接合電極２７１，２８１へ伝搬するのを抑制することができる。これは圧電効果を有さない絶縁材料から成る絶縁膜が基部の基材の素地上に形成され、当該絶縁膜上に接合電極が形成されていることによって、絶縁膜の部分には圧電振動が生じないため、基部２０における不要振動モードの影響を抑制することができる。これにより、良好な特性を有する音叉型水晶振動子を得ることができる。また、基部２０の一主面の基材の素地上に絶縁膜２９が形成されていることにより、一対の振動腕２１，２２から接合電極２７１，２８１までの経路長をより長く確保することができるため、振動漏れの影響を抑制することができる。
【００４４】
基部２０に形成された引出電極２７により、他方の振動腕２２の外側面と内側面の各々に形成された第１の励振電極２５と，前記引回し電極を経由して、一方の振動腕２１の表裏主面に形成された第１の励振電極２５と接続されている。同様に、基部２０に形成された引出電極２８により、一方の振動腕２１の外側面と内側面の各々に形成された第２の励振電極２６と，前記引回し電極を経由して、他方の振動腕２２の表裏主面に形成された第２の励振電極２６と接続されている。
【００４５】
引出電極２７，２８は、水晶振動片の結晶軸のＹ軸方向については、水晶振動片２の表面２ａにおいては基部２０の一端側２０１から縮幅部２０３との境界部分まで引き出されている。一方、水晶振動片２の裏面２ｂにおいては、基部２０の一端側２０１から他端側２０２（突出部２４の先端側も含む）まで引き出されている。
【００４６】
図４乃至５に示すように、水晶振動片２の裏面２ｂにおける基部２０の他端側２０２の領域と突出部２４の先端側の各領域は、容器３の電極パッド６，７と接合材を介して電気的に接合される接合電極２７１，２８１となっている。
【００４７】
前述した第１の励振電極２５および第２の励振電極２６や、引出電極２７，２８、引回し電極（符号省略）や接合電極２７１，２８１は、水晶基材上にクロム（Ｃｒ）層が形成され、このクロム層の上に金（Ａｕ）層が積層された層構成となっている。なお前記各種電極の層構成は、クロム層の上に金層が形成された層構成に限らず、他の層構成であってもよい。
【００４８】
前記第１および第２の励振電極や引出電極，引回し電極，接合電極は、真空蒸着法やスパッタリング等の成膜方法によって水晶ウエハの主面全体に成膜された後、フォトリソグラフィ技術とメタルエッチングによって所望のパターンに一括同時に成形されている。
【００４９】
２つの接合電極２７１，２８１の各々の上面には、導電性の接合材Ｓ，Ｓが各々形成されている（図４参照）。本実施形態では接合材Ｓは、電解めっき法によって形成された，めっきバンプとなっている。なお、本発明の実施形態では接合材として金属製のバンプ（めっきバンプ）が使用されているが、導電性の接着材を使用してもよい。
【００５０】
本実施形態では水晶振動片２と電極パッド６，７との導電接合は、ＦＣＢ法（Ｆｌｉｐ  Ｃｈｉｐ  Ｂｏｎｄｉｎｇ）によって行われる。具体的には水晶振動片２の接合材Ｓ，Ｓが形成された面と反対側の主面（２ａ）を、超音波を印加するためのホーンによって吸着保持する。このホーンには水晶振動片を吸着保持するための吸引孔が設けられている。保持された水晶振動片は、電極パッド６，７の上面に対して画像認識手段を用いて位置決め載置される。そして温度と圧力を加えながらホーンから超音波を印加する。これにより接合材Ｓ，Ｓと電極パッド６，７とが超音波接合される。
【００５１】
本実施形態では前述したように、水晶振動片の表面（２ａ）については、引出電極２７，２８は基部２０の一端側２０１から縮幅部２０３との境界部分までの領域に形成されている（図３または図５を参照）。すなわち、水晶振動片の，裏面（２ｂ）の接合電極２７１，２８１の接合材Ｓ，Ｓが配される領域に対応する表面（２ａ）の領域には、引出電極が形成されていない。このような構成により、吸着保持される水晶振動片２の表面側の金属（引出電極）が、超音波接合の際に前記ホーンに擦れて損傷したり、当該金属が剥離してホーンに付着・脱落してしまうことによる不具合を回避することができる。
【００５２】
−本発明の実施形態の変形例−
本発明の実施形態の変形例について図６を参照しながら説明する。なお前述した本発明の実施形態と同一の構成については説明を割愛する。図６は音叉型水晶振動片の短手方向における基部の断面模式図であるが、縮幅部に対して振動腕寄りの位置における基部の断面図となっている。本実施形態の変形例においても音叉型水晶振動片の外形形状は前述した本発明の実施形態と同様になっている。
【００５３】
図６に示す本発明の実施形態の変形例では、基部を構成する４つの面（互いに対向する一組の主面と、互いに対向する一組の側面）の各々に絶縁膜４０が形成されている。つまり、基部２０断面方向における全周にわたって絶縁膜４０が形成されている。
【００５４】
図６に示すような構成で絶縁膜が形成されていた場合であっても、絶縁膜の接合電極が形成されていない領域においては電界が発生せず、かつ絶縁膜が圧電効果を有さない材料で形成されているので、基部における不要振動モードの影響を抑制することができる。
【００５５】
本発明は、その精神または主要な特徴から逸脱することなく、他のいろいろな形で実施することができる。そのため、上述の実施の形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００５６】
音叉型圧電振動片および音叉型圧電振動子の量産に適用できる。
【符号の説明】
【００５７】
１    音叉型水晶振動子
２    音叉型水晶振動片
２０    基部
２１、２２    振動腕
２７１、２８１    接合電極
２９、４０    絶縁膜
３    容器
【図１】
2018037896.tif 000003
【図２】
2018037896.tif 000004
【図３】
2018037896.tif 000005
【図４】
2018037896.tif 000006
【図５】
2018037896.tif 000007
【図６】
2018037896.tif 000008